(57)【要約】【課題】  画像を常に使用者の見易い向きで表示することができるようにした携帯機器を得る。【解決手段】  内部に電子機器を収納する筐体に設けられ、画像データを表示する表示部、この表示部に表示される画像データと共に該画像データを上記表示部に画像表示させる表示方向情報を記憶する記憶部、上記筐体に設けられ、上記表示部が向けられた方向を検出する方向検出器、及び上記記憶部に記憶された表示方向情報及び上記方向検出器が検出した方向に基づいて、当該画像データを上記表示部に画像表示する表示方向を制御する制御部を備えた。【選択図】          図１
2005321516.tif 000002
【特許請求の範囲】
【請求項１】
内部に電子機器を収納する筐体に設けられ、画像データを表示する表示部、この表示部に表示される画像データと共に該画像データを上記表示部に画像表示させる表示方向情報を記憶する記憶部、上記筐体に設けられ、上記表示部が向けられた方向を検出する方向検出器、及び上記記憶部に記憶された表示方向情報及び上記方向検出器が検出した方向に基づいて、当該画像データを上記表示部に画像表示する表示方向を制御する制御部を備えたことを特徴とする携帯機器。
【請求項２】
方向検出器は、筐体に加わる重力方向を検出することにより、表示部が向けられた方向を検出することを特徴とする請求項１記載の携帯機器。
【請求項３】
筐体内部には送受信装置を含む電子機器が収納されており、表示部には着信待ち受け時の画像データが表示可能であることを特徴とする請求項１記載の携帯機器。
【請求項４】
制御部は、表示部の画面サイズに合わせて画像データを上記表示部に縮小表示することを特徴とする請求項１記載の携帯機器。
【請求項５】
制御部は、表示部の画面サイズに合わせて画像データの一部分を切り出して表示部に表示することを特徴とする請求項１記載の携帯機器。
【請求項６】
制御部は、切り出して表示する画像データをスクロール表示可能に構成されていることを特徴とする請求項５記載の携帯機器。
【請求項７】
被写体を撮影する撮影装置を設け、制御部は該撮影装置で撮影した画像データと共に撮像時に方向検出器が検出した方向を表示方向情報として記憶部に記憶させることを特徴とする請求項１記載の携帯機器。
【請求項８】
内部に電子機器を収納する筐体に設けられ、画像データを表示する表示部、この表示部に表示される画像データと共に該画像データを上記表示部に画像表示させる表示方向情報を記憶する記憶部、この記憶部に記憶された画像データの表示方向情報に基づいて該画像データの画像サイズを変更する制御部、及びこの制御部で変更された画像サイズの画像データを送信する送信部を備えたことを特徴とする携帯機器。
【請求項９】
制御部は、表示部の画面サイズに合わせて画像データの画像サイズを変更することを特徴とする請求項８記載の携帯機器。
【請求項１０】
制御部は、表示部の画面サイズに合わせて画像データの一部分を切り出すことを特徴とする請求項８記載の携帯機器。
【請求項１１】
内部に電子機器を収納する筐体に設けられ、画像データを表示する表示部、この表示部に表示される画像データと共に該画像データを上記表示部に画像表示させる表示方向情報を記憶する記憶部、及び筐体内部には送受信装置を含む電子機器が収納されており、上記記憶部に記憶された表示方向情報に基づいて、着信待ち受け時の画像データ、着信時の画像データ、又はメモリダイヤル情報の画像データの何れかを上記表示部に画像表示する表示方向を制御する制御部を備えたことを特徴とする携帯機器。
【請求項１２】
制御部は、表示部の画面サイズに合わせて画像データを上記表示部に縮小表示することを特徴とする請求項１１記載の携帯機器。
【請求項１３】
制御部は、表示部の画面サイズに合わせて画像データの一部分を切り出して表示部に表示することを特徴とする請求項１１記載の携帯機器。
【請求項１４】
被写体を撮影する撮影装置、及び、筐体に設けられ、表示部が向けられた方向を検出する方向検出器を設け、制御部は上記撮影装置で撮影した画像データと共に撮像時に上記方向検出器が検出した方向を表示方向情報として記憶部に記憶させることを特徴とする請求項８又は１１記載の携帯機器。
【請求項１５】
筐体内部には送受信装置を含む電子機器が収納されており、制御部は受信部が受信した画像データと共に該画像データを表示部に画像表示させる表示方向情報を記憶部に記憶させることを特徴とする請求項１、８又は１１記載の携帯機器。
【発明の詳細な説明】
【技術分野】
【０００１】
この発明は、画像を表示又は他端末へ送信する携帯機器に関する。
【背景技術】
【０００２】
従来技術として、被写体の光学像を電気的な画像情報に変換する撮像手段と、画像情報に基づく画像を表示する表示手段とを設け、撮像手段は、被写体の光学像を光電変換する光電変換手段と、光電変換手段の回転状態を検出する回転状態検出手段と、光電変換手段の出力に基づき得られる画像情報に、回転状態検出手段により検出された撮影時における光電変換手段の回転状態を表わす回転状態情報を付加する付加手段とを有し、表示手段は、画像情報に付加された回転状態情報に基づいて、必要に応じて画像の向きを正しい向きに変更して表示するようにしたことにより、煩雑な操作を必要とせずに撮影により得られた画像を見やすく表示することのできる撮像表示装置がある（例えば、特許文献１参照）。
また、携帯電話機を横向きで撮影した画像を着信待ち受け画面等に設定するときには、使用者が画像の向きを正しい向きに変更していた。
【０００３】
【特許文献１】特開２００１−４５３５４号公報（第３−５頁、第４図）
【発明の開示】
【発明が解決しようとする課題】
【０００４】
特許文献１の撮像表示装置において、撮像装置が撮影した画像をパーソナルコンピュータのような表示方向の固定された撮像表示装置で画像を正しい向きに変更して表示することができるものの、携帯機器のように表示装置の向きが変化してしまうような場合には、表示する向きと使用者が目視する向きが異なってしまうことがあるので見難いという問題点があった。
また、撮像装置で撮影した画像を他端末へ送信する場合、受信側端末に向きを変換する処理が必要となるので、変換処理を搭載していない他端末へ送信すると使用者の見易い向きで画像を表示させることができないという問題点があった。
さらに、画像を着信待ち受け画面等に設定するときには、使用者が画像の向きを変更する必要があるので操作が煩雑になるという問題点があった。
【０００５】
この発明は、上記のような問題点を解消するためになされたもので、画像を常に使用者の見易い向きで表示することができるようにした携帯機器を得ることを目的とするものである。
また、表示変換処理に対応していない他端末に対し、受信した画像を正しい向きで表示させることができるようにした携帯機器を得ることを目的とするものである。
さらに、画像を着信待ち受け画面等に設定するときに、使用者が意識することなく画像を正しい向きに変更することができるようにした携帯機器を得ることを目的とするものである。
【課題を解決するための手段】
【０００６】
この発明の請求項１に係る携帯機器は、内部に電子機器を収納する筐体に設けられ、画像データを表示する表示部、この表示部に表示される画像データと共に該画像データを上記表示部に画像表示させる表示方向情報を記憶する記憶部、上記筐体に設けられ、上記表示部が向けられた方向を検出する方向検出器、及び上記記憶部に記憶された表示方向情報及び上記方向検出器が検出した方向に基づいて、当該画像データを上記表示部に画像表示する表示方向を制御する制御部を備えたものである。
【発明の効果】
【０００７】
この発明の請求項１に係る携帯機器は、記憶部に記憶された表示方向情報及び方向検出器が検出した方向に基づいて、画像データを表示部に画像表示する表示方向を制御するようにしたので、画像を常に使用者の見易い向きに表示できる効果がある。
【発明を実施するための最良の形態】
【０００８】
実施の形態１．
図１は、この発明に係る携帯機器としての携帯電話機を示すブロック図である。図において、通信回線１からアンテナ（図示せず）を介して受信した音声信号が、送受信装置としての無線部２に入力され、主に機能動作を制御する制御部３へ出力される。制御部３は、アンテナで受信した音声信号を音声に変換してレシーバ４へ送り、レシーバ４から音声を出力する。一方、マイク５から入力された音声は制御部３で音声信号に変換され、無線部２、アンテナを介して通信回線１へ出力される。
また、使用者が操作部６を操作して撮影装置としてのカメラ７の起動指示を入力すると、制御部３はカメラ７を起動し、カメラ７で撮影している画像を表示部８に表示させる。使用者が操作部６を操作して表示部８に表示している画像の撮影指示を入力すると、制御部３はカメラ７で撮影している画像を揮発メモリ９に一時的に記憶させて、揮発メモリ９に一時記憶した画像を表示部８に表示させる。次に、使用者が表示部８に表示している画像を確認し、操作部６を操作して表示部８に表示している画像の保存指示を入力すると、制御部３は揮発メモリ９に一時記憶した画像を記憶部１０に記憶させる。また、重力センサを有する方向検出器としての加速度センサ１１は表示部８が向けられた方向を検出し、制御部３に出力する。
【０００９】
図２は、この発明に係る携帯電話機のカメラ７で被写体を撮影する処理を示すフローチャートである。
以下、図１及び２に基づいて、カメラ７で画像を撮影する処理について説明する。
【００１０】
まず、携帯電話機を閉じた状態で、使用者が画像を撮影するために操作部６を操作すると、制御部３はカメラ７を起動し（ステップ２−１）、カメラ７から入力される画像を表示部８に表示させる。
【００１１】
制御部３は、使用者が操作部６から入力した指示内容を判定する（ステップ２−２）。
この判定で、操作部６から撮影終了が入力されたとすると、制御部３は、カメラ７の起動を終了する。
【００１２】
ステップ２−２の判定で、操作部６から画像撮影が入力されたとすると、制御部３は、加速度センサ１１から表示方向情報を検出して（ステップ２−３）、その時点で撮影した画像データを表示方向情報とともに揮発メモリ９に一時記憶させて、その画像を表示部８に表示させる。
【００１３】
制御部３は、使用者が操作部６から入力した指示内容を判定する（ステップ２−４）。
この判定で、操作部６から画像保存しないことが入力されたとすると、制御部３は、揮発メモリ９に一時記憶させた画像データ及び表示方向情報を削除し（ステップ２−５）、カメラ７で撮影している画像の表示部８への表示を再開させてステップ２−２に戻る。
【００１４】
ステップ２−４の判定で、操作部６から画像保存することが入力されたとすると、制御部３は、揮発メモリ９に表示方向情報とともに一時記憶させた画像データ及び表示方向情報を記憶部１０に記憶させて（ステップ２−６）、カメラ７で撮影している画像の表示部８への表示を再開させてステップ２−２に戻る。
【００１５】
次に、図３は、この発明の実施の形態１に係る携帯電話機のカメラ７で撮影した画像を表示する処理を示すフローチャートである。図４は、この発明に係る記憶部１０に記憶している画像の表示イメージを示す図であり、携帯電話機を横向きにして撮影した場合である。図５は、この発明に係る携帯電話機を開いた状態の外観図であり、筐体内部には図１で示した各電子機器が収納されている。図６は、表示部８に表示される画像の表示イメージを示す図であり、下側が重力方向である。図において、（ａ）は、使用者が携帯電話機を開いて操作する通常使用時の状態であり、（ｂ）は、携帯電話機を（ａ）の状態から重力方向に対し９０度回転させた状態である。また、図５は画像データに表示方向情報が付加されていない場合を示しており、図６は画像データに表示方向情報が付加されている場合を示している。
【００１６】
以下、図１、３〜６に基づいて、カメラ７で撮影した画像を表示する処理について説明する。
まず、使用者が記憶部１０に記憶された画像を確認するために操作部６を操作すると、制御部３は記憶部１０に記憶された画像を表示部８に一覧表示させる（ステップ３−１）。
【００１７】
制御部３は、使用者が操作部６から入力した指示内容を判定する（ステップ３−２）。
この判定で、操作部６から画像選択終了が入力されたとすると、制御部３は、表示部８に表示していた画像の一覧表示を終了する。
【００１８】
ステップ３−２の判定で、操作部６から画像選択が入力されたとすると、制御部３は、記憶部１０から選択された画像データを読み出す（ステップ３−３）。
制御部３は、読み出した画像データに表示方向情報が付加されているか否かを判定する（ステップ３−４）。
この判定で、読み出した画像データに表示方向情報が付加されていなければ、ステップ３−７へ進む。
【００１９】
ステップ３−４の判定で、読み出した画像データに表示方向情報が付加されていれば、制御部３は、加速度センサ１１から表示方向情報を取得して（ステップ３−５）、画像データの表示方向情報と比較して携帯電話機の上下方向と画像データの上下方向とが一致するように画像を回転させる（ステップ３−６）。
【００２０】
制御部３は、画像に表示方向情報が付加されていなければ図５のように携帯電話機をどの方向に傾けたとしても画像が携帯電話機に対して同じ向きとなるように表示部８に表示させ、表示方向情報が付加されていれば図６のように携帯電話機をどの方向に傾けたとしても画像の重力方向が下になるように画像を表示部８に表示させる（ステップ３−７）。
【００２１】
また、図７は、この発明に係る記憶部１０に記憶されている画像表示の加工について示す図である。（ａ）は図４の画像データを表示部８の表示サイズの幅に合わせて縮小表示した場合の図であり、（ｂ）は表示部８の表示サイズの幅に合わせて画像データの中心部分を切り出した場合の図である。
【００２２】
制御部３は、表示部８に表示している画像を確認した使用者が操作部６から入力した指示内容を判定する（ステップ３−８）。
この判定で、操作部６から表示終了が入力されたとすると、制御部３は、画像表示処理を終了し、操作部６から表示終了が入力されなければ、制御部３は、ステップ３−４に戻って表示処理を繰り返す。
【００２３】
また、図７（ｂ）の場合に、使用者が操作部６から指示を入力することで、制御部３は、カットされた部分の画像をスクロール表示するようにしてもよい。
【００２４】
このように、表示方向情報付きの画像データを記憶部１０に記憶しておき、加速度センサ１１で検出した方向と一致させて表示することで、携帯電話機をどの方向に傾けても、使用者は常に画像を撮影したときと同じ方向で記憶部１０に記憶された画像を見ることができる。
【００２５】
実施の形態２．
図８は、この発明の実施の形態２に係る携帯電話機に格納された画像を着信待ち受け画面として表示する処理を示すフローチャートである。
【００２６】
まず、使用者は、記憶部１０に記憶されている画像データを着信待ち受け画面として設定しておく。
着信待ち受け画面を表示するときに、制御部３は、記憶部１０から着信待ち受け画面として設定された画像データを読み出す（ステップ８−１）。
以下、図３のステップ３−４〜３−６と同様に、制御部３が、加速度センサ１１から表示方向情報を取得して、画像データの表示方向情報と比較して携帯電話機の上下方向と画像データの上下方向とが一致するように画像を回転させる（ステップ８−２〜８−４）。
【００２７】
制御部３は、画像に表示方向情報が付加されていなければ図５のように携帯電話機をどの方向に傾けたとしても着信待ち受け画面が携帯電話機に対して同じ向きとなるように表示部８に表示させ、表示方向情報が付加されていれば図６のように携帯電話機をどの方向に傾けたとしても着信待ち受け画面の重力方向が下になるように画像を表示部８に表示させて（ステップ８−５）、ステップ８−３に戻って着信待ち受け画面の表示処理を繰り返す。
【００２８】
このように、表示方向情報付きの画像を着信待ち受け画面として設定し、加速度センサ１１で検出した方向と一致させて表示することで、携帯電話機をどの方向に傾けても、使用者は常に画像を撮影したときと同じ方向で着信待ち受け画面を見ることができる。
【００２９】
上記実施の形態１及び２では、携帯電話機を横向きで撮影した画像データについて説明したが、携帯電話機を縦向きで撮影した画像データを、携帯電話機を横向きに表示させる場合であっても、同様に適用できる。
【００３０】
実施の形態３．
図９は、この発明の実施の形態３に係る携帯電話機に記憶している表示方向情報付きの画像データを他端末へ送信する処理を示すフローチャートである。
まず、使用者が記憶部１０に記憶された画像を送信するために操作部６を操作すると、制御部３は記憶部１０に記憶された画像を表示部８に一覧表示させる（ステップ９−１）。
【００３１】
制御部３は、使用者が操作部６から入力した指示内容を判定する（ステップ９−２）。
この判定で、操作部６から添付画像選択終了が入力されたとすると、制御部３は、表示部８に表示していた画像の一覧表示を終了する。
【００３２】
ステップ９−２の判定で、操作部６から添付画像選択が入力されたとすると、制御部３は、記憶部１０から選択された画像データを読み出す（ステップ９−３）。
【００３３】
制御部３は、読み出した画像データに表示方向情報が付加されているか否かを判定する（ステップ９−４）。
この判定で、読み出した画像データに表示方向情報が付加されていなければ、ステップ９−７へ進む。
【００３４】
ステップ９−４の判定で、読み出した画像データに表示方向情報が付加されていれば、制御部３は、画像データの表示方向情報と表示部８の表示の上下方向とが一致するように画像を回転させる（ステップ９−５）。
【００３５】
制御部３は、画像に表示方向情報が付加されていなければ記憶部１０に記憶されている画像を回転させずに表示部８に表示させ、表示方向情報が付加されていれば使用者が携帯電話機を図５（ａ）のように持ったときに見易い向きに画像を表示部８に表示させる（ステップ９−６）。
【００３６】
制御部３は、表示部８に表示している画像を確認した使用者が操作部６から他端末への画像送信指示を入力すると、制御部３は、使用者の見易い向きに変換した画像を添付して他端末へメール送信し（ステップ９−７）、処理を終了する。
【００３７】
このように、表示方向情報付きの画像を使用者の見易い向きに変換して他端末へメール送信することで、画像を受信した他端末が加速度センサ１１を搭載していなくても、他端末の使用者に画像撮影時と同じ方向で受信した画像を確認させることができる。
【００３８】
実施の形態４．
図１０は、この発明の実施の形態４に係る携帯電話機に着信待ち受け画面に画像を設定する際の処理を示すフローチャートである。
【００３９】
まず、使用者が記憶部１０に記憶された画像を表示するために操作部６を操作すると、制御部３は記憶部１０に記憶された画像を表示部８に一覧表示する（ステップ１０−１）。
【００４０】
制御部３は、使用者が操作部６から入力した指示内容を判定する（ステップ１０−２）。
この判定で、操作部６から画像選択終了が入力されたとすると、制御部３は、表示部８に表示していた画像の一覧表示を終了する。
【００４１】
ステップ１０−２の判定で、操作部６から画像選択が入力されたとすると、制御部３は、記憶部１０から選択された画像データを読み出す（ステップ１０−３）。
以下、図９のステップ９−４〜９−６と同様に、制御部３が、画像データの表示方向情報と比較して表示部８の表示の上下方向と画像データの上下方向とが一致するように画像を回転させる（ステップ１０−４〜１０−６）。
【００４２】
制御部３は、表示部８に表示している画像を確認した使用者が操作部６から着信待ち受け画面への設定指示を入力すると、制御部３は、使用者の見易い向きに変換した画像を着信待ち受け画面として設定し（ステップ１０−７）、処理を終了する。
着信待ち受け画面を表示するときには、制御部３は、使用者の見易い向きに変換した画像を使用して表示部８に表示させる。
【００４３】
このように、表示方向情報付きの画像を変換して着信待ち受け画面として設定することで、画像が横撮りで撮影された場合でも、使用者が意識することなく図５（ａ）のように携帯電話機が一般的に使用される状態で表示の見易い向きに着信待ち受け画面を表示させることができる。
【００４４】
この実施の形態４は、着信待ち受け画面を設定する場合について説明したが、着信画面やメモリダイヤル等、画像を設定するものであればどのような場合にも適用できる。
【００４５】
上記実施の形態１〜４は、記憶部１０に格納する画像を静止画として説明したが、動画にも同様に適用可能である。
【００４６】
また、上記実施の形態１〜４では、携帯電話機内蔵のカメラ７で撮影した画像を表示するようにしたが、表示方向情報が対応付けられていればメールやインターネット等により外部から取り込んだ画像にも適用できる。
【００４７】
さらに、上記実施の形態１〜４は、記憶部１０として携帯電話機に内蔵されたもので説明したが、外部メモリであっても同様に適用可能である。
【図面の簡単な説明】
【００４８】
【図１】この発明に係る携帯機器としての携帯電話機を示すブロック図である。
【図２】この発明に係る携帯電話機のカメラ７で画像を撮影する処理を示すフローチャートである。
【図３】この発明の実施の形態１に係る携帯電話機のカメラ７で撮影した画像を表示する処理を示すフローチャートである。
【図４】この発明に係る記憶部１０に記憶している画像の表示イメージを示す図である。
【図５】この発明に係る携帯電話機を開いた状態の外観図と表示部８に表示される画像の表示イメージを示す図であり、画像データに表示方向情報が付加されていない場合である。
【図６】この発明に係る携帯電話機を開いた状態の外観図と表示部８に表示される画像の表示イメージを示す図であり、画像データに表示方向情報が付加されている場合である。
【図７】この発明に係る記憶部１０に記憶されている画像表示の加工について示す図である。
【図８】この発明の実施の形態２に係る携帯電話機に格納された画像を着信待ち受け画面として表示する処理を示すフローチャートである。
【図９】この発明の実施の形態３に係る携帯電話機に記憶している表示方向情報付きの画像データを他端末へ送信する処理を示すフローチャートである。
【図１０】この発明の実施の形態４に係る携帯電話機に着信待ち受け画面に画像を設定する際の処理を示すフローチャートである。
【符号の説明】
【００４９】
２  無線部
３  制御部
７  カメラ
８  表示部
１０  記憶部
１１  加速度センサ
【図１】
2005321516.tif 000003
【図２】
2005321516.tif 000004
【図３】
2005321516.tif 000005
【図４】
2005321516.tif 000006
【図５】
2005321516.tif 000007
【図６】
2005321516.tif 000008
【図７】
2005321516.tif 000009
【図８】
2005321516.tif 000010
【図９】
2005321516.tif 000011
【図１０】
2005321516.tif 000012